(57)【特許請求の範囲】
【請求項１】
ポンプ室と，該ポンプ室内に装着されたインペラ軸とを設けたハウジング本体と、マグネット収納部の内部にインナーマグネットが装着されたインナーマグネット部の軸方向一端側に羽根部が形成され、他端側面には軸受部の周囲を囲むループ状突起部がそれぞれ形成され，前記インペラ軸に回動自在に装着されるインペラと、前記インナーマグネット部が遊挿される収納部が形成され，該収納部の収納底面に前記インペラ軸の軸先端が挿入するボス孔が形成された隔壁体と、前記ループ状突起部内に配置されるスラスト座金とからなり、前記ループ状突起部は、マグネット収納部の軸方向端部における側面に線形に膨出した突起条とし、前記ハウジング本体に隔壁体を装着した状態で、前記ループ状突起部と前記収納部の収納底面との間隔は、前記スラスト座金の肉厚よりも小さくし、前記マグネット収納部の軸端側で前記ループ状突起部以外の部分と前記収納底面との間隔は、前記間隔よりも大きくなることを特徴とするマグネットポンプ。
【請求項２】
請求項１において、前記収納部の収納内周面と前記インナーマグネット部の外周側面との間隔は、前記スラスト座金の肉厚よりも小さくしてなることを特徴とするマグネットポンプ。
【請求項３】
請求項１において、前記収納底面には前記スラスト座金が収納する凹部が形成されてなることを特徴とするマグネットポンプ。
【発明の詳細な説明】
【０００１】
【発明の属する技術分野】
本発明は、流体中の異物による悪影響を防止し、且つポンプ組み立てを一連の工程にしたがって製造される場合に、インペラを支持するスラスト座金の装着状態が適正でなかったとしても、完成品の検査時にその良否状態を容易に見ることができる構造としたマグネットポンプに関する。
【０００２】
【従来の技術】
従来よりマグネットポンプにおいて、インナーマグネットが装着されたインペラの羽根部の背面側に隔壁体を介して配置されたアウターマグネット部からなるマグネットカップリング部が設けられている。そのマグネットカップリング部を構成する隔壁体には、前記インペラのマグネット部が遊挿状態で収納される収納部が形成されている。
【０００３】
また、ハウジング本体にはインペラ軸が装着されており、該インペラ軸が前記インペラに挿通し、且つ前記隔壁体の収納部側には、前記インペラ軸の先端部が挿入する軸支穴が形成され、ハウジング本体に隔壁体を接合することで構成されたポンプハウジングはインペラ軸の軸方向両端を支持するものである。
【０００４】
該インペラ軸に回転自在に装着されたインペラの軸方向端部と隔壁体との対向する部分間には、そのインペラのスラスト方向の力を受け止めるための座金形状のスラスト受けが設けられている。そのスラスト受けは、隔壁とインペラの隙間より厚さが厚くなっているものが、実開平４−８４７９２号に示されている。
【０００５】
【発明が解決しようとする課題】
前記スラスト受部材の厚さが、インペラの軸方向端部と隔壁との隙間より大きくなっていることにより、ポンプ組立時にインペラのスラスト受けが鉄製であればインペラ軸から脱落してズレてしまうような組立上の不都合が生じる場合であってもスラスト受けは、マグネットカップリング部の従動用マグネットに吸着されることになる。
【０００６】
そこで、インペラと隔壁との隙間位置に厚いスラスト受けが存在するので、組付けできず、軸からのスラスト受けの脱落を察知することができる。しかし、隔壁とインペラの従動用マグネットのカップリング部全体と対向して小さい隙間が長く形成されているので、流体中の異物が侵入した場合、インペラと隔壁との間の異物が干渉してポンプの耐久性を低下させる恐れがある。
【０００７】
また、隙間を大きくすると、スラスト受けへ異物が侵入しやすくなり、スラスト受面に異物が付着したり、またはインペラのスラスト方向への移動時に噛み込んだりして回転を重くしたりして、ポンプ回転に影響を与える恐れがある。以上のように、スラスト受けが適正に装着されないまま、ポンプを完成させることを防止する構造であっても、異物によるポンプへの悪影響を防ぐことができないことがある。本発明の目的は、異物によるポンプへの悪影響を防止し、且つこのようなスラスト受けの装着状態をインペラの回転検査で容易に発見することができる構造とすることにある。
【０００８】
【課題を解決するための手段】
そこで、発明者は上記課題を解決すべく、鋭意，研究を重ねた結果、本発明を、ポンプ室と，該ポンプ室内に装着されたインペラ軸とを設けたハウジング本体と、マグネット収納部の内部にインナーマグネットが装着されたインナーマグネット部の軸方向一端側に羽根部が形成され、他端側面には軸受部の周囲を囲むループ状突起部がそれぞれ形成され，前記インペラ軸に回動自在に装着されるインペラと、前記インナーマグネット部が遊挿される収納部が形成され，該収納部の収納底面に前記インペラ軸の軸先端が挿入するボス孔が形成された隔壁体と、前記ループ状突起部内に配置されるスラスト座金とからなり、前記ループ状突起部は、マグネット収納部の軸方向端部における側面に線形に膨出した突起条とし、前記ハウジング本体に隔壁体を装着した状態で、前記ループ状突起部と前記収納部の収納底面との間隔は、前記スラスト座金の肉厚よりも小さくし、前記マグネット収納部の軸端側で前記ループ状突起部以外の部分と前記収納底面との間隔は、前記間隔よりも大きくなるマグネットポンプとしたことにより、流体中の異物による悪影響を防止することができ、且つポンプ組み立てを一連の工程にしたがって製造される場合に、インペラを支持するスラスト座金の装着状態が適正でなかったとしても、完成品の検査時にその良否状態を容易に見ることができ、上記課題を解決したものである。
【０００９】
【発明の実施の形態】
以下、本発明の実施形態を図面に基づいて説明する。まず、ポンプハウジングは、ハウジング本体Ａと、インペラＢと、隔壁体Ｃとから構成され、前記ハウジング本体Ａと隔壁体Ｃによって構成されたポンプハウジング内にインペラＢが回動自在に収納される。
【００１０】
そのハウジング本体Ａには、略円形状のポンプ室１が形成されており、該ポンプ室１は、略円周状の内周側面１ａと略円形状の側面部１ｂとから形成され、前記ポンプ室１の中心位置には、後述するインペラＢが回動自在に支持されるためのインペラ軸２が装着されている。また、前記ポンプ室１には、吸入口３及び吐出口４が形成されている。
【００１１】
次に、インペラＢは、複数の羽根板片から構成された羽根部５と、インナーマグネット部６とから構成されている。該インナーマグネット部６は、マグネット収納部６ａ1 と，インナーマグネット６ｂと，ループ状突起部６ｃとから構成されている。前記マグネット収納部６ａ1 は円筒形状をなし、その円筒形状となる外周部分が外周側面６ａとなる〔図２（Ａ），（Ｂ），（Ｄ）等参照〕。そのインナーマグネット部６のマグネット収納部６ａ1 の内部には、インナーマグネット６ｂが装着されている。
【００１２】
該インナーマグネット６ｂが合成樹脂による鋳込み状態で前記マグネット収納部６ａ1 に収納されている〔図１（Ａ）参照〕。前記羽根部５は、マグネット収納部６ａ1 に一体成形されている。また、インナーマグネット部６の中心位置で且つ軸方向に沿って軸受部７が装着され、該軸受部７の軸受孔７ａに前記インペラ軸２が挿通する構造となっている。前記軸受部７は、前記インナーマグネット６ｂの直径方向の中心を軸方向に沿って貫通しており、止め輪等の固着具によって固定されている。
【００１３】
前記ループ状突起部６ｃは、マグネット収納部６ａ1 の軸方向において前記羽根部５が形成されている側とは反対側面に形成されたものであり、前記軸受部７の周囲を囲むようにして形成されている〔図２（Ｂ），（Ｃ）参照〕。前記ループ状突起部６ｃは、マグネット収納部６ａ1 の軸方向端部における側面に線形に膨出した突起条としたのである〔図２（Ｂ），（Ｄ）参照〕。その形状としては、円形状輪の一部を直径方向両側に対称に延長させて、略楕円形状としたり〔図２（Ｃ）参照〕、又は円形状〔図２（Ｄ）参照〕に形成されたりする。また、ループ状突起部６ｃは、インナーマグネット収納部６ａ1 の軸端部を補強する補強突起（リブ）の役目もなしている。
【００１４】
次に、隔壁体Ｃは、前記ハウジング本体Ａのポンプ室１に対向して装着され、該ポンプ室１と共にインペラＢを収納する部品である。前記隔壁体Ｃは、その外形が略ハット形状をなしており、前記ポンプ室１を被覆するカバー部８と、インペラＢのインナーマグネット部６を収納する円筒形状の収納部９とから形成されている〔図１（Ｂ）参照〕。
【００１５】
該収納部９には、収納底面９ａにボス孔９ｂが形成されており、該ボス孔９ｂに前記インペラ軸２の軸先端に挿入するようになっている〔図１（Ａ），（Ｂ）参照〕。さらに、前記ボス孔９ｂの周囲には後述するスラスト座金１１が収納される凹部９ｃが形成されている〔図１（Ｂ）参照〕。
【００１６】
前記カバー部８には、真円筒形状の連結部８ａが形成され、該連結部８ａには、Ｏ（オー）リング等の密閉材１０が嵌まり込むことができる溝条８ｂが形成されている。そして、前記ハウジング本体Ａのポンプ室１には前記インペラＢが装着され、隔壁体Ｃの連結部８ａが前記ポンプ室１の内周側面１ａに挿入され、前記ハウジング本体Ａと隔壁体Ｃとが水密状に接合される構造となっている。その隔壁体Ｃの収納部９の外周側にアウターマグネットが配置され、該アウターマグネットの回動動作により、隔壁体Ｃ内のインペラＢが回動するものである。
【００１７】
まず前記ハウジング本体Ａ側のポンプ室１に形成されたインペラ軸２に前記インペラＢが軸受部７を介して回動自在に装着される。そしてインペラＢのインナーマグネット部６が前記隔壁体Ｃの収納部９内に収納されるとともに、前記インペラ軸２の先端がスラスト座金１１の貫通孔１１ａに遊挿され、前記収納部９のボス孔９ｂに挿通されて、前記ハウジング本体Ａに隔壁体Ｃが接合される。
【００１８】
ここで、スラスト座金１１がインペラＢの軸端部と隔壁体Ｃの収納底面９ａとの間に配置される。前記スラスト座金１１は、インペラＢのスラスト方向の移動を受け止めるものであり、輪状をなしており、中心に貫通孔１１ａが形成されている。該貫通孔１１ａには、前記インペラ軸２が貫通する。スラスト座金１１は、前記収納底面９ａに形成された凹部９ｃに配置されることになり、スラスト座金１１を凹部９ｃによって安定した状態で支持することができる。また、収納底面９ａに凹部９ｃが形成されない場合には、スラスト座金１１は、収納底面９ａに直接配置されることになる〔図３（Ｂ）参照〕。
【００１９】
前記インナーマグネット部６に形成されたループ状突起部６ｃと前記隔壁体Ｃの収納底面９ａとが対向することとなり、前記ループ状突起部６ｃと収納底面９ａとの間隔Ｔａは、前記スラスト座金１１の肉厚Ｔｂよりも小さくなるように設定される。即ち、間隔Ｔａ＜肉厚Ｔｂとなる〔図３（Ａ）参照〕。前記間隔Ｔａを小さくするには、前記ループ状突起部６ｃの高さを収納内周面９ｄに当接しない程度に形成する。
【００２０】
このように、ループ状突起部６ｃと収納底面９ａとの間隔Ｔａを前記スラスト座金１１の肉厚Ｔｂより小さく設定することで、図４に示すように、組立時に前記スラスト座金１１が前記インペラ軸２に適正に嵌まらずに、前記インナーマグネット６ｂに吸着された状態の場合には、前記インナーマグネット６ｂに吸着したスラスト座金１１は、図５に示すように、ループ状突起部６ｃと収納底面９ａとの間に挟まれてしまうことになる。これによって、前記スラスト座金１１がインペラＢと隔壁体Ｃとの間の検知物となって、前記インペラＢを回転不能とし、組立時の製品検査における回転検査で、前記スラスト座金１１が適正に装着されていないことを容易に確認することができる。また、図３（Ａ）に示すように、前記収納部９の収納内周面９ｄと、前記インナーマグネット部６の外周側面６ａとの間隔Ｔｃを前記スラスト座金１１の肉厚Ｔｂよりも小さく設定することにより、スラスト座金１１は前記インナーマグネット部６の外周側面６ａに吸着されている限り、インペラＢを回転不能とする検知物となり、上記と同様に組立時の製品検査における回転検査で、前記スラスト座金１１が適正に装着されていないことを容易に確認することができる。
【００２１】
また、前記ループ状突起部６ｃと前記隔壁体Ｃの収納底面９ａとの間隔Ｔａを、他のインペラＢの部位との間隔Ｔｃより小さくすることにより、流体中の異物がインペラＢのインナーマグネット部６に侵入してきたとしても、前記間隔Ｔａが小さく設定されるので、異物の侵入を低減することができる。さらに、前記インペラＢのループ状突起部６ｃと前記隔壁体Ｃの収納底面９ａとの間隔Ｔａは、極めて小さくすることにより、異物の混入（又は侵入）を極力防ぐことができ、インペラＢのスラスト支持部を良好に保つことができる。
【００２２】
【発明の効果】
請求項１の発明は、ポンプ室１と，該ポンプ室１内に装着されたインペラ軸２とを設けたハウジング本体Ａと、マグネット収納部６ａ1 の内部にインナーマグネット６ｂが装着されたインナーマグネット部６の軸方向一端側に羽根部５が形成され、他端側面には軸受部の周囲を囲むループ状突起部６ｃがそれぞれ形成され，前記インペラ軸２に回動自在に装着されるインペラＢと、前記インナーマグネット部６が遊挿される収納部９が形成され，該収納部９の収納底面９ａに前記インペラ軸２の軸先端が挿入するボス孔９ｂが形成された隔壁体Ｃと、前記ループ状突起部６ｃ内に配置されるスラスト座金１１とからなり、前記ループ状突起部６ｃは、マグネット収納部６ａ1 の軸方向端部における側面に線形に膨出した突起条とし、前記ハウジング本体Ａに隔壁体Ｃを装着した状態で、前記ループ状突起部６ｃと前記収納部９の収納底面９ａとの間隔Ｔａは、前記スラスト座金１１の肉厚Ｔｂよりも小さくし、前記マグネット収納部６ａ１の軸端側で前記ループ状突起部６ｃ以外の部分と前記収納底面９ａとの間隔は、前記間隔Ｔａよりも大きくなるマグネットポンプとしたことにより、流体中の異物による悪影響を防止することができ、且つポンプ組み立てを一連の工程にしたがって製造される場合に、インペラＢを支持するスラスト座金１１の装着状態が適正でなかったとしても、完成品の検査時にその良否状態を容易に見ることができ、このような利点を有しながら、ポンプの構造を極めて簡単にすることができる等の効果を奏する。
【００２３】
上記効果を詳述すると、インペラＢのインナーマグネット部６に形成したループ状突起部６ｃと隔壁体Ｃの収納底面９ａとの間隔Ｔａが、前記スラスト座金１１の肉厚Ｔｂより小さくなるようにしている。これによって、ポンプを一連の工程に従って組み立てるときに、前記スラスト座金１１がインペラ軸２に適正に装着されず、該インペラ軸２から外れて脱落した場合には、前記スラスト座金１１は、インナーマグネット部６の吸着力により付着したままで、ポンプが組み立てられたとしても、前記スラスト座金１１は、インペラＢと隔壁体Ｃとの間でインペラＢが回転不可能となることを知る検知物となる。
【００２４】
そのために、ポンプの回転検査の確認においてインペラＢが回転しないことから、前記スラスト座金１１の脱落を容易に発見することができ、品質の安定を向上することができる。また、前記インペラＢの軸端側と隔壁体Ｃとは、前記ループ状突起部６ｃと収納底面９ａとが対向するものであり、インナーマグネット部６の軸端側でループ状突起部６ｃ以外の部分と収納底面９ａとの間隔は少し大きくなるので、異物の侵入を停留させ、インペラＢがその異物の侵入によってポンプ回転に影響を与えることを防止できる。
【００２５】
また、前記ループ状突起部６ｃは、ループ状に膨出した線形突起条であるため、前記間隔Ｔａを小さくするが、該間隔Ｔａは、ループ状突起部６ｃの範囲であることから、他のインペラＢの部分と隔壁体Ｃとの隙間を小さくしなくても良い為、流体中の異物がインペラＢと収納部９との間に侵入した場合、隔壁体ＣとインペラＢとの異物干渉を低減することができる。また、インペラＢの隔壁体Ｃ側のスラスト座金１１の周囲にループ状突起部６ｃによる間隔Ｔａを小さくすることにより、前記スラスト座金１１への異物の侵入を防ぐことができ、インペラＢのスラスト方向における支持を良好にしてポンプの耐久性を向上することができる。
【００２６】
請求項２の発明は、請求項１において、前記収納部９の収納内周面９ｄと前記インナーマグネット部６の外周側面６ａとの間隔Ｔｃは、前記スラスト座金１１の肉厚Ｔｂよりも小さくしてなるマグネットポンプとしたことにより、前記スラスト座金１１の外れ状態がどのような場合であっても、前記インナーマグネット部６により吸着されている限り、スラスト座金１１はインペラＢを回転不能とする検知物となり、ポンプの組立不良状態の発見を容易にすることができる。
【００２７】
次に、請求項３の発明は、請求項１において、前記収納底面９ａには前記スラスト座金１１が収納する凹部９ｃが形成されてなるマグネットポンプとしたことにより、前記凹部９ｃにスラスト座金１１を収納することで、スラスト座金１１を安定した状態で設置することができ、ポンプの組み立てを効率的に行うことができる。
【図面の簡単な説明】
【図１】（Ａ）は本発明が設けられたマグネットポンプの一部断面とした側面図
（Ｂ）はハウジング本体と隔壁体との分離した状態の縦断側面図
【図２】（Ａ）は本発明の要部分解斜視図
（Ｂ）はインペラの斜視図
（Ｃ）はループ状突起部の正面図
（Ｄ）は別の実施例のインペラの斜視図
【図３】（Ａ）は本発明の要部拡大断面図
（Ｂ）は本発明の別の実施例の要部拡大断面図
【図４】スラスト座金が所定位置に装着されない状態でハウジング本体に隔壁体を接合しようとする状態の作用図
【図５】本発明の拡大作用図
【符号の説明】
Ａ…ハウジング本体
１…ポンプ室
２…インペラ軸
５…羽根部
６…インナーマグネット部
６ａ…外周側面
６ｃ…ループ状突起部
９…収納部
９ａ…収納底面
９ｂ…ボス孔
９ｃ…凹部
９ｄ…収納内周面
１１…スラスト座金
【図１】
0003866504.tif 000002
【図２】
0003866504.tif 000003
【図３】
0003866504.tif 000004
【図４】
0003866504.tif 000005
【図５】
0003866504.tif 000006